(57)【特許請求の範囲】
【請求項１】
絶縁体のフィルム上に形成された導体のアンテナエレメント部と導体のグランドエレメント部とを備えるマルチバンドアンテナであって、
前記アンテナエレメント部は、
第１の共振周波数に対応する長さを有する第１のアンテナエレメントと、
第２の共振周波数に対応する長さを有する第２のアンテナエレメントと、を備え、
前記グランドエレメント部は、
前記第１の共振周波数に共振する長さを有する第１の辺と、
前記第２の共振周波数に共振する長さを有する第２の辺と、
を備え、前記グランドエレメント部は、前記マルチバンドアンテナが取り付けられる電子機器の内部部品を避ける位置に配置された第１の空間部を有するマルチバンドアンテナ。
【請求項２】
前記アンテナエレメント部は、誘電体部の周囲に配置されている請求項１に記載のマルチバンドアンテナ。
【請求項３】
前記アンテナエレメント部と前記誘電体部とを一定の距離をおいて固着させる離間部を備える請求項２に記載のマルチバンドアンテナ。
【請求項４】
前記誘電体部は、略直方体の形状、取り付け場所に対応する形状、前記アンテナエレメント部の変形に対応する曲面形状の縁部、あるいは少なくとも一つの第２の空間部のいずれかを有する請求項２または３に記載のマルチバンドアンテナ。
【請求項５】
前記アンテナエレメント部は、複数の共振周波数帯域を有する逆Ｆアンテナであり、前記アンテナエレメント部は、複数のインピーダンス整合用ループ経路を有する請求項１から４のいずれか一項に記載のマルチバンドアンテナ。
【請求項６】
前記アンテナエレメント部は、
前記グランドエレメント部に接続されている第１のショートスタブと、
前記第１のショートスタブから所定距離をおいて配置され、前記第１のアンテナエレメント及び前記第２のアンテナエレメントに接続されている第２のショートスタブと、
前記第１のショートスタブから所定距離をおいて配置され、給電点及び前記第２のアンテナエレメントに接続されている第３のショートスタブと、を有し、
前記第１のアンテナエレメントは、一端が前記第１のショートスタブの一端に接続され、
前記第２のアンテナエレメントは、一端が前記第１のショートスタブに接続され、前記グランドエレメント部及び前記第１のアンテナエレメントの間に配置されている請求項１から５のいずれか一項に記載のマルチバンドアンテナ。
【請求項７】
前記第１のアンテナエレメント及び前記第２のアンテナエレメントは、それぞれ、前記第１のショートスタブに接続された部分から先端までの間に長さの異なる２つの辺を有する請求項１から６のいずれか一項に記載のマルチバンドアンテナ。
【請求項８】
電波の波長をλとし、
前記グランドエレメント部は、前記第１の辺の長さが、前記第１の共振周波数帯域の中心周波数のλ／４以上であり、短手方向の前記第２の辺の長さが、前記第２の共振周波数帯域の中心周波数のλ／４以上である請求項１から７のいずれか一項に記載のマルチバンドアンテナ。
【請求項９】
前記アンテナエレメント部及び前記グランドエレメント部は、両面が前記フィルムにより覆われている請求項１から８のいずれか一項に記載のマルチバンドアンテナ。
【請求項１０】
前記アンテナエレメント部及び前記グランドエレメント部は、一枚のフィルム上に形成されている請求項１から９のいずれか一項に記載のマルチバンドアンテナ。
【請求項１１】
絶縁体のフィルム上に形成された導体のアンテナエレメント部と導体のグランドエレメント部とを備えるマルチバンドアンテナであって、
前記アンテナエレメント部は、
第１の共振周波数に対応する長さを有する第１のアンテナエレメントと、
第２の共振周波数に対応する長さを有する第２のアンテナエレメントと、を備え、
前記グランドエレメント部は、
第１の共振周波数に共振する長さを有する第１の辺と、
第２の共振周波数に共振する長さを有する第２の辺と、
を備え、
前記アンテナエレメント部は、
前記グランドエレメント部に接続されている第１のショートスタブと、
前記第１のショートスタブから所定距離をおいて配置され、前記第１のアンテナエレメント及び前記第２のアンテナエレメントに接続されている第２のショートスタブと、
前記第１のショートスタブから所定距離をおいて配置され、給電点及び前記第２のアンテナエレメントに接続されている第３のショートスタブと、を有し、
前記第１のアンテナエレメントは、一端が前記第１のショートスタブの一端に接続され、
前記第２のアンテナエレメントは、一端が前記第１のショートスタブに接続され、前記グランドエレメント部及び前記第１のアンテナエレメントの間に配置されているマルチバンドアンテナ。
【請求項１２】
請求項１から１１のいずれか一項に記載のマルチバンドアンテナと、
前記マルチバンドアンテナを介して外部機器と無線通信する通信手段と、
前記通信手段を制御する制御手段と、
を備える電子機器。
【発明の詳細な説明】
【技術分野】
【０００１】
本発明は、マルチバンドアンテナ及び電子機器に関する。
【背景技術】
【０００２】
従来、無線通信機能を有するハンディターミナル、ＰＤＡ（Personal Digital Assistant）等の携帯機器が知られている。この携帯機器に搭載される無線通信用のアンテナとして、平面状のマルチバンドアンテナが考えられている（例えば、特許文献１参照）。このマルチバンドアンテナによれば、平面状であるため携帯機器にも容易に収納でき、複数の共振周波数帯での無線通信を行うことができる。
【０００３】
また、無線通信用のアンテナとして、逆Ｆ型のアンテナエレメントを有する逆Ｆ型アンテナも知られている。さらに、マルチバンドの逆Ｆ型アンテナも考えられている（例えば、特許文献２参照）。
【先行技術文献】
【特許文献】
【０００４】
【特許文献１】特開２００７−１３５９６号公報
【特許文献２】特開平１０−９３３３２号公報
【発明の概要】
【発明が解決しようとする課題】
【０００５】
従来の逆Ｆ型アンテナは、携帯機器に搭載する場合、アンテナのグランドとして携帯機器のフレームグランドを使用している。そして、携帯機器を小型化するために実装スペースを出来るだけ小さくすることが求められる。そのため、携帯機器のフレームグランドと、アンテナの配置場所が近接して実装されることになる。しかし、携帯機器のフレームグランドとアンテナとの距離が近い場合は、フレームグランドとアンテナとの間にコンデンサカップリングという現象が発生する。このコンデンサカップリングとは、フレームグランドとアンテナとの間に発生するコンデンサ成分であり、このコンデンサ成分によりアンテナに電力ロスが生じてアンテナ自体の放射効率が悪化する問題があった。
【０００６】
そのため、携帯機器を小型化するために、携帯機器のフレームグランドとアンテナとの距離が近くなる場合は、携帯機器のフレームグランドをアンテナに必要なグランドとして使用せずに高いアンテナ利得を得るようにすることが要望されている。
【０００７】
本発明の課題は、アンテナに必要なグランドとして携帯機器のフレームグランドを使用せずに、高いアンテナ利得を得ることができるようにすることである。
【課題を解決するための手段】
【０００８】
上記課題を解決するため、請求項１に記載のマルチバンドアンテナは、絶縁体のフィルム上に形成された導体のアンテナエレメント部と導体のグランドエレメント部とを備えるマルチバンドアンテナであって、前記アンテナエレメント部は、第１の共振周波数に対応する長さを有する第１のアンテナエレメントと、第２の共振周波数に対応する長さを有する第２のアンテナエレメントと、を備え、前記グランドエレメント部は、第１の共振周波数に共振する長さを有する第１の辺と、第２の共振周波数に共振する長さを有する第２の辺と、を備え、前記グランドエレメント部は、前記マルチバンドアンテナが取り付けられる電子機器の内部部品を避ける位置に配置された第２の空間部を有する。
【０００９】
請求項１１に記載のマルチバンドアンテナは、絶縁体のフィルム上に形成された導体のアンテナエレメント部と導体のグランドエレメント部とを備えるマルチバンドアンテナであって、前記アンテナエレメント部は、第１の共振周波数に対応する長さを有する第１のアンテナエレメントと、第２の共振周波数に対応する長さを有する第２のアンテナエレメントと、を備え、前記グランドエレメント部は、第１の共振周波数に共振する長さを有する第１の辺と、第２の共振周波数に共振する長さを有する第２の辺と、を備え、前記アンテナエレメント部は、前記グランドエレメント部に接続されている第１のショートスタブと、前記第１のショートスタブから所定距離をおいて配置され、前記第１のアンテナエレメント及び前記第２のアンテナエレメントに接続されている第２のショートスタブと、前記第１のショートスタブから所定距離をおいて配置され、給電点及び前記第２のアンテナエレメントに接続されている第３のショートスタブと、を有し、前記第１のアンテナエレメントは、一端が前記第１のショートスタブの一端に接続され、前記第２のアンテナエレメントは、一端が前記第１のショートスタブに接続され、前記グランドエレメント部及び前記第１のアンテナエレメントの間に配置されている。
【発明の効果】
【００２３】
本発明によれば、アンテナエレメント部が第１の共振周波数及び第２の共振周波数で共振すると共に、グランドエレメント部が第１の共振周波数及び第２の共振周波数で共振するので、アンテナエレメント部及びグランドエレメント部の夫々が第１の共振周波数及び第２の共振周波数で共振することになり、高いアンテナ利得を得ることができる。
【図面の簡単な説明】
【００２４】
【図１】（ａ）は、本発明に係る第１の実施の形態のハンディターミナルの正面図である。（ｂ）は、第１の実施の形態のハンディターミナルの側面図である。
【図２】第１の実施の形態のハンディターミナルの機能構成を示すブロック図である。
【図３】第１の実施の形態のマルチバンドアンテナの構成を示す図である。
【図４】第１の実施の形態のマルチバンドアンテナの側面図である。
【図５】フィルムアンテナ部の平面図である。
【図６】フィルムアンテナ部と同軸ケーブルとの接続構成を示す図である。
【図７】マルチバンドアンテナの第１の共振周波数帯域における共振時のアンテナ電流の経路を示す図である。
【図８】マルチバンドアンテナの第２の共振周波数帯域における共振時のアンテナ電流の経路を示す図である。
【図９】従来のマルチバンドの逆Ｆアンテナの平面図である。
【図１０】従来の逆Ｆアンテナのスミスチャートである。
【図１１】第１の実施の形態のマルチバンドアンテナのスミスチャートである。
【図１２】アンテナエレメントの辺の長さを示す図である。
【図１３】第１の実施の形態のマルチバンドアンテナについての周波数とＳパラメータとの関係を示すグラフである。
【図１４】第１の実施の形態の第１の変形例のフィルムアンテナ部の平面構成を示す。
【図１５】第１の実施の形態の第２の変形例の誘電体部の斜視図である。
【図１６】第２の変形例の誘電体部の側面図である。
【図１７】（ａ）は、本発明に係る第２の実施の形態のハンディターミナルの正面図である。（ｂ）は、第２の実施の形態のハンディターミナルの側面図である。（ｃ）は、第２の実施の形態のハンディターミナルの背面図である。
【図１８】第２の実施の形態のマルチバンドアンテナの斜視図である。
【図１９】第２の実施の形態のマルチバンドアンテナの平面図である。
【図２０】第２の実施の形態のマルチバンドアンテナの端部の断面構成を示す図である。
【図２１】ダイポールアンテナとその電圧の分布とを示す図である。
【図２２】モノポールアンテナ及び金属部とその電圧の分布とを示す図である。
【図２３】モノポールアンテナ及び金属部とその実際の電圧の分布とを示す図である。
【図２４】第２の実施の形態のマルチバンドアンテナの周波数に対するＶＳＷＲ（Voltage Standing Wave Ratio：電圧定在波比）を示す図である。
【発明を実施するための形態】
【００２５】
以下、添付図面を参照して本発明に係る好適な第１の実施の形態、その第１、第２の変形例及び第２の実施の形態を順に詳細に説明する。なお、本発明は、図示例に限定されるものではない。
【００２６】
（第１の実施の形態）
図１〜図１３を参照して本発明に係る第１の実施の形態を説明する。先ず、図１〜図６を参照して本実施の形態の装置構成を説明する。図１（ａ）に、本実施の形態のハンディターミナル１の正面構成を示す。図１（ｂ）に、ハンディターミナル１の側面構成を示す。
【００２７】
本実施の形態の電子機器としてのハンディターミナル１は、ユーザ操作による情報の入力、情報の記憶、バーコードのスキャン等の機能を有する携帯端末である。また、ハンディターミナル１は、無線ＬＡＮ（Local Area Network）方式によりアクセスポイントを介して外部機器と無線通信を行う機能と、ＧＳＭ（Global System for Mobile Communications）方式の携帯電話通信機能と、を有する。
【００２８】
図１（ａ）に示すように、ハンディターミナル１は、ケース２の正面に、表示部１４、各種キー３Ａ等を備える。また、ハンディターミナル１は、図１（ｂ）に示すように、ケース２の両側面に、トリガキー３Ｂを備え、ケース２の先端にスキャナ部１９を備える。また、ハンディターミナル１は、ケース２の内部に、マルチバンドアンテナ３０を備える。
【００２９】
各種キー３Ａは、数字等の文字入力キー、各種機能キー等である。トリガキー３Ｂは、後述するスキャナ部１９の光照射及びバーコードスキャンのトリガ操作入力を受け付けるキーである。各種キー３Ａは、スキャナ部１９の光照射及びバーコードスキャンのためのトリガキーを含むこととしてもよい。スキャナ部１９は、レーザ光等の光をバーコードに照射し、その反射光を受光及び二値化することにより、バーコードのデータを読み取る部品である。
【００３０】
図２に、ハンディターミナル１の機能構成を示す。図２に示すように、ハンディターミナル１は、制御手段としてのＣＰＵ（Central Processing Unit）１１、入力部１２、ＲＡＭ（Random Access Memory）１３、表示部１４、ＲＯＭ（Read Only Memory）１５、マルチバンドアンテナ３０、通信手段としての無線通信部１６、フラッシュメモリ１７、アンテナ１８ａ、無線ＬＡＮ通信部１８、スキャナ部１９、Ｉ／Ｆ（InterFace）２０等を備える。ＣＰＵ１１、入力部１２、ＲＡＭ１３、表示部１４、ＲＯＭ１５、無線通信部１６、フラッシュメモリ１７、無線ＬＡＮ通信部１８、スキャナ部１９、Ｉ／Ｆ２０は、バス２１を介して接続されている。
【００３１】
マルチバンドアンテナ３０は、携帯電話機能のアンテナである。マルチバンドアンテナ３０は、略直方体の形状を有する誘電体部にフィルムアンテナが包まれた構造を有するアンテナである。
【００３２】
ＣＰＵ１１は、ハンディターミナル１の各部を制御する。ＣＰＵ１１は、ＲＯＭ１５に記憶されているシステムプログラム及び各種アプリケーションプログラムの中から指定されたプログラムをＲＡＭ１３に展開し、ＲＡＭ１３に展開されたプログラムとの協働で、各種処理を実行する。
【００３３】
ＣＰＵ１１は、各種プログラムとの協働により、入力部１２を介する操作情報の入力を受け付け、ＲＯＭ１５から各種情報を読み出し、フラッシュメモリ１７に各種情報の読み書きを行う。また、ＣＰＵ１１は、無線通信部１６及びマルチバンドアンテナ３０を介して、基地局（で中継された外部機器）と通信を行い、無線ＬＡＮ通信部１８及びアンテナ１８ａにより、アクセスポイント（で中継された外部機器）と通信を行い、スキャナ部１９によりバーコードのデータを読み取り、Ｉ／Ｆ２０を介して外部機器と有線通信を行う。
【００３４】
入力部１２は、各種キー３Ａ、トリガキー３Ｂを含み、操作者から押下入力された各キーのキー入力信号をＣＰＵ１１に出力する。また、入力部１２は、表示部１４と一体的にタッチパネルのタッチパッドとして構成されることとしてもよい。
【００３５】
ＲＡＭ１３は、情報を一時的に格納する揮発性のメモリであり、実行される各種プログラムやこれら各種プログラムに係るデータ等を格納するワークエリアを有する。表示部１４は、ＬＣＤ（Liquid Crystal Display）、ＥＬＤ（ElectroLuminescent Display）等で構成され、ＣＰＵ１１からの表示信号に従って各種表示を行う。
【００３６】
ＲＯＭ１５は、各種プログラム、各種データが読み出し専用に記憶される記憶部である。
【００３７】
無線通信部１６は、マルチバンドアンテナ３０と接続され、マルチバンドアンテナ３０を用いてＧＳＭ方式の通信により基地局と情報の送受信を行う。本実施の形態では、無線通信部１６が、ＧＳＭ携帯電話の通信方式で使用する、周波数帯域が約８２４〜９６０［ＭＨｚ］帯（以下、第１の共振周波数帯域とする）と、１７１０〜１９９０［ＭＨｚ］帯（以下、第２の共振周波数帯域とする）と、のマルチバンドの無線通信を行う無線通信部として説明する。マルチバンドアンテナ３０は、これら２つの周波数帯域にマッチングされたマルチバンドアンテナである。しかし、これに限定されるものではなく、マルチバンドアンテナ３０及び無線通信部１６が、他の共振周波数帯や、他の無線通信方式の無線通信を行う構成としてもよい。
【００３８】
フラッシュメモリ１７は、各種データ等の情報が読み出し及び書き込み可能な記憶部である。
【００３９】
無線ＬＡＮ通信部１８は、アンテナ１８ａと接続され、アンテナ１８ａを介して無線ＬＡＮ通信方式によりアクセスポイントと情報の送受信を行う。
【００４０】
スキャナ部１９は、レーザ光等の発光部、受光部、ゲイン回路、二値化回路等を備える。スキャナ部１９において、発光部から出射された光がバーコードに照射され、その反射光が受光部により受光されて電気信号に変換され、その電気信号がゲイン回路により増幅され、二値化回路により白黒のバーコードイメージのデータに変換される。このように、スキャナ部１９は、バーコードイメージを読み取り、そのバーコードイメージのデータをＣＰＵ１１に出力する。
【００４１】
Ｉ／Ｆ２０は、通信ケーブルを介して外部機器と情報を送受信する。Ｉ／Ｆ２０は、例えば、ＵＳＢ（Universal Serial Bus）方式の有線通信部である。
【００４２】
次いで、図３〜図６を参照して、マルチバンドアンテナ３０の構成を説明する。図３に、マルチバンドアンテナ３０の構成を示す。図４に、マルチバンドアンテナ３０の側面構成を示す。
【００４３】
図３に示すように、マルチバンドアンテナ３０は、誘電体部４０と、フィルムアンテナ部５０と、離間部としての両面テープ６０と、を備える。誘電体部４０は、誘電体材料からなり、ケース２内の取り付け場所に対応する形状としての板状（ブロック形状）を有する。誘電体部４０は、略直方体形状のブロック本体部４１を有する。ブロック本体部４１には、フィルムアンテナ部５０の変形に対応するＲ形状の縁部４２が形成されている。縁部４２は、ブロック本体部４１の先端がＲ形状に加工されたものである。誘電体部４０は、誘電体樹脂の一体成型により形成されている。誘電体樹脂は、ＰＰＳ（Poly Phenylen Sulfide Resin）、ＬＣＰ（Liquid Crystal Polymer）等の樹脂にセラミックの粉末が混合されたものである。このセラミックの粉末の混合量に応じて誘電体樹脂の（実効）比誘電率が調整されている。本実施の形態では、誘電体部４０の実効比誘電率εｅｆｆ＝５であるものとして説明するが、この数値に限定されるものではない。
【００４４】
フィルムアンテナ部５０は、フィルム形状を有し、可撓性を有するアンテナ部である。
【００４５】
誘電体部４０には、縁部４２の表面を含む表面形状に沿って、フィルムアンテナ部５０が巻かれて貼り付けられている。具体的には、図４に示すように、誘電体部４０には、両面テープ６０を介してフィルムアンテナ部５０が巻かれて貼り付けられている。縁部４２は、フィルムアンテナ部５０が誘電体部４０に巻かれた状態で接着隙間が生じないように設けられている。また、両面テープ６０は、誘電体部４０とフィルムアンテナ部５０との間の接触面の全面に設けられている。
【００４６】
両面テープ６０は、厚さが一定である。また、両面テープ６０は、誘電体部４０の実効比誘電率に大きく関与しないものが好ましい。両面テープ６０は、帯状の基材と、当該基材の両面に設けられた接着剤の層と、を有する。両面テープ６０は、例えば、基材に不織布を用い、接着剤に、押し付けることで接着力が生まれる感圧性粘着材を用いた両面テープである。この接着剤は、例えば、アクリル系の接着剤である。両面テープ６０の厚さは、例えば、剥離ライナーを含めて０．１６ｍｍである。
【００４７】
また、両面テープ６０の基材は、アクリルフォーム等、厚みがある材料を用いてもよい。この構成では、両面テープ６０厚さは、例えば、剥離ライナーを含めて２ｍｍである。なお、両面テープ６０の材料及び材質は、上記のものに限定されるものではない。
【００４８】
両面テープ６０の厚さが一定であるため、フィルムアンテナ部５０と誘電体部４０とのギャップ長は、一定距離に保たれている。また、両面テープ６０により、誘電体部４０へのフィルムアンテナ部５０の接着が容易である。
【００４９】
また、両面テープ６０の厚さを変えることで、フィルムアンテナ部５０（のアンテナエレメント）と誘電体部４０との距離が変わり、誘電体部４０の実効比誘電率を変化させることができる。
【００５０】
図５に、フィルムアンテナ部５０の平面構成を示す。図５に示すように、フィルムアンテナ部５０は、フィルム５０Ａと、アンテナ導体部５０Ｂとを有する。フィルム５０Ａは、ＦＰＣ（Flexible Print Circuit）のフィルムであり、ポリイミド等の絶縁体により構成されている。アンテナ導体部５０Ｂは、フィルム５０Ａ上に形成されている銅箔等の平面状の導体により構成されている。
【００５１】
アンテナ導体部５０Ｂは、いわゆる逆Ｆアンテナであり、アンテナエレメント部５１と、グランド部５２とを有する。アンテナ導体部５０Ｂは、アンテナエレメント部５１と、グランド部５２とを有する。アンテナエレメント部５１は、給電のための同軸ケーブルの芯線側に接続される部分である。グランド部５２は、同軸ケーブルのグランド側に接続される部分である。また、誘電体部４０は、両面テープ６０を介して、少なくともアンテナエレメント部５１に対応する部分が貼り付けられている。
【００５２】
アンテナエレメント部５１は、第１のアンテナエレメントとしてのアンテナエレメント５１１と、第１のショートスタブとしてのショートスタブ５１２と、第２のアンテナエレメントとしてのアンテナエレメント５１３と、第２のショートスタブとしてのショートスタブ５１４と、第３のショートスタブとしてのショートスタブ５１５と、を備える。アンテナエレメント５１１は、台形状（くさび型）のアンテナエレメントであり、その下辺がグランド部５２の上辺と平行になるよう配置されている。また、アンテナエレメント５１１は、一端がショートスタブ５１２に接続されている。また、アンテナエレメント５１１は、ショートスタブ５１２に接続された部分から先端までの間に長さの異なる２つの辺を有する。
【００５３】
ショートスタブ５１２は、帯状（矩形）のアンテナエレメントであり、その長手方向がグランド部５２の上辺に垂直に配置されている。また、ショートスタブ５１２の一端は、アンテナエレメント５１１に接続され、他端がグランド部５２に接続されている。
【００５４】
アンテナエレメント５１３は、台形状（くさび型）のアンテナエレメントであり、その上辺がグランド部５２の上辺と平行になるよう配置されている。また、アンテナエレメント５１３は、一端がショートスタブ５１２に接続されている。また、アンテナエレメント５１３は、ショートスタブ５１２に接続された部分から先端までの間に長さの異なる２つの辺を有する。
【００５５】
ショートスタブ５１４は、帯状（矩形）のアンテナエレメントであり、その長手方向がグランド部５２の上辺に垂直に配置され、ショートスタブ５１２から所定距離離れて配置されている。また、ショートスタブ５１４は、一端がアンテナエレメント５１１に接続され、他端がアンテナエレメント５１３に接続されている。
【００５６】
ショートスタブ５１５は、帯状（矩形）のアンテナエレメントであり、その長手方向がグランド部５２の上辺に垂直に配置され、ショートスタブ５１２から所定距離離れて配置されている。また、ショートスタブ５１５の延在方向（長手方向）と、ショートスタブ５１４の延在方向とは、同一直線上に配置されている。また、ショートスタブ５１５は、一端がアンテナエレメント５１３に接続されており、他端がグランド部５２に接続されていない。ショートスタブ５１５の他端と、これに対向しているグランド部５２の部分とは、後述する同軸ケーブル７０に接続されており、この接続点を給電点Ｐとする。
【００５７】
グランド部５２は、ケース２内に設けられているフレームグランド（図示略）へ、螺子による螺合等により電気的に接続されているものとする。フレームグランドは、マグネシウム合金，アルミニウム等の金属（導体）製であり、且つ電気的に接地されている。
【００５８】
マルチバンドアンテナ３０のグランド部分の長手方向は、８００ＭＨｚ帯域（第１の共振周波数帯域）の中心周波数８９２ＭＨｚのλ／４（λ：電波の波長）以上の長さが必要である。中心周波数８９２ＭＨｚの波長λは、０．３３６３ｍである。このため、グランド部分の長手方向は、λ／４＝８．４ｃｍ以上の長さが必要である。
【００５９】
また、マルチバンドアンテナ３０のグランド部分の幅（短手方向）は、１８００ＭＨｚ帯域（第２の共振周波数帯域）の中心周波数１８５０ＭＨｚのλ／４以上の長さが必要である。中心周波数１８５０ＭＨｚの波長λは、０．１６２１ｍである。このため、グランド部分の幅は、λ／４＝４ｃｍ以上の長さが必要である。
【００６０】
グランド部５２は、長手方向８．４ｃｍ以上、幅４ｃｍ以上の大きさを有していなく、長手方向８．４ｃｍ以上、幅４ｃｍ以上の大きさを有するフレームグランドに接続されているものとする。このため、グランド部５２及びフレームグランドにより、マルチバンドアンテナ３０のグランドに必要な面積が確保されている。なお、フレームグランドに代えて、ＰＣＢ（Printed Circuit Board）のグランドにグランド部５２を電気的に接続する構成としてもよい。
【００６１】
また、ショートスタブ５１２とショートスタブ５１４，５１５との間の距離を距離Ｌ１とする。アンテナエレメント５１１とアンテナエレメント５１３との間の距離を距離Ｌ２とする。距離Ｌ１，Ｌ２については、後述する。
【００６２】
次いで、図６を参照して、給電点Ｐにおけるマルチバンドアンテナ３０のフィルムアンテナ部５０と同軸ケーブル７０との接続を説明する。図６に、フィルムアンテナ部５０と同軸ケーブル７０との接続構成を示す。但し、図６上、フィルム５０Ａが省略されている。
【００６３】
同軸ケーブル７０は、断面（延在方向に垂直な面）の中心から外側へ、銅線等の芯線７１、ポリエチレン等の絶縁体７２、網状の銅線等の外部導体７３、絶縁体としての保護被覆部７４を順に同心円状に備える。同軸ケーブル７０の一端の芯線７１が、ショートスタブ５１５とハンダ付けにより接続されている。外部導体７３がグランド部５２とハンダ付けにより接続されている。
【００６４】
同軸ケーブル７０の他端は、無線通信部１６に接続されている。具体的には、同軸ケーブル７０の他端の芯線７１が、無線通信部１６のＧＳＭモジュール（図示略）の給電用端子に接続され、同じく外部導体７３がＧＳＭモジュールのグランドに接続されている。無線通信部１６のＧＳＭモジュールから同軸ケーブル７０を介して給電点Ｐに高周波電力が給電される。
【００６５】
次に、マルチバンドアンテナ３０を詳細に説明する。マルチバンドアンテナ３０において、誘電体部４０によるフィルムアンテナ部５０のエレメント（アンテナエレメント、ショートスタブ）の短縮率は、誘電体部４０の実効比誘電率εｅｆｆを用いて次式（１）により算出される。実効比誘電率εｅｆｆは、誘電体部４０の厚さや、誘電体部４０とフィルムアンテナ部５０のエレメントとの位置関係（表面か内部か）により決定される。
短縮率＝１／（εｅｆｆ）１／２  …（１）
【００６６】
また、マルチバンドアンテナ３０の共振点（共振周波数）を微調整するためには、前述した誘電体部４０の実効比誘電率εｅｆｆを意図的にコントロールすることにより、フィルムアンテナ部５０のエレメントの長さを可変するのと同じ効果を得る事ができ、フィルムアンテナ部５０のエレメントの共振周波数を変えることができる。
【００６７】
誘電体部４０の実効比誘電率εｅｆｆの変更は、両面テープ６０の厚さを変更し、誘電体部４０とフィルムアンテナ部５０のエレメントとの間の距離を変えることで、実現できる。従って、両面テープ６０の厚さを、例えば、両面テープ６０に用いるテープ１枚貼り、テープ２枚重ね貼り、テープ３枚重ね貼り等により変更したり、両面テープ６０に厚さが異なるテープを用いること等により、変更できる。
【００６８】
より具体的には、両面テープ６０の厚さを大きくすることにより、フィルムアンテナ部５０の共振周波数が高い周波数にシフトし、両面テープ６０の厚さを小さくすることにより、フィルムアンテナ部５０の共振周波数が低い周波数にシフトする。このようにして、両面テープ６０の厚さを変更することでマルチバンドアンテナ３０の共振周波数の微調整が可能である。
【００６９】
次いで、図７〜図１１を参照して、マルチバンドアンテナ３０のマルチバンド特性及びインピーダンス整合について説明する。図７に、マルチバンドアンテナ３０の第１の共振周波数帯域における共振時のアンテナ電流の経路Ｒ１１，Ｒ１２を示す。図８に、マルチバンドアンテナ３０の第２の共振周波数帯域における共振時のアンテナ電流の経路Ｒ２１，Ｒ２２を示す。
【００７０】
図７に示すように、マルチバンドアンテナ３０において、第１の共振周波数帯域における共振時のアンテナ電流は、給電点Ｐ→グランド部５２→ショートスタブ５１２→アンテナエレメント５１１の共振用経路Ｒ１１と、給電点Ｐ→グランド部５２→ショートスタブ５１２→アンテナエレメント５１１→ショートスタブ５１４→ショートスタブ５１５→給電点Ｐのインピーダンス整合用ループ経路Ｒ１２と、を流れる。共振用経路Ｒ１１上のショートスタブ５１２及びアンテナエレメント５１１の長さが、λ／４となるように設定されている。
【００７１】
図８に示すように、マルチバンドアンテナ３０において、第２の共振周波数帯域における共振時のアンテナ電流は、給電点Ｐ→グランド部５２→ショートスタブ５１２→アンテナエレメント５１３の共振用経路Ｒ２１と、給電点Ｐ→グランド部５２→ショートスタブ５１２→アンテナエレメント５１３→ショートスタブ５１５→給電点Ｐのインピーダンス整合用ループ経路Ｒ２２と、を流れる。共振用経路Ｒ２１上のショートスタブ５１２及びアンテナエレメント５１３の長さが、λ／４となるように設定されている。
【００７２】
このように、マルチバンドアンテナ３０は、２つの共振用経路Ｒ１１，Ｒ２１と、２つのインピーダンス整合用ループ経路Ｒ１２，Ｒ２２と、を有する。２つの共振用経路Ｒ１１，Ｒ２１により、マルチバンドアンテナ３０が、２つの共振周波数帯域（第１及び第２の共振周波数帯域）を有するマルチバンド特性を有する。
【００７３】
ここで、従来のマルチバンドの逆Ｆアンテナの一例を説明する。図９に、従来のマルチバンドの逆Ｆアンテナ８０の平面構成を示す。図１０に、逆Ｆアンテナ８０のスミスチャートを示す。
【００７４】
従来のマルチバンドの逆Ｆアンテナは、図９に示す逆Ｆアンテナ８０の矢印部分の経路のように、１つのインピーダンス整合用ループ経路を有していた。逆Ｆアンテナ８０は、２つの共振周波数帯域を有する逆Ｆアンテナである。このため、図１０に示すように、２つの共振周波数帯域におけるインピーダンス整合を行う場合に、高い周波数（高い方の共振周波数帯域）における共振部分のインピーダンスを、ほぼ５０Ωに整合させるように、逆Ｆアンテナ８０の形状及び長さが設定されるものとする。すると、低い周波数（低い方の共振周波数帯域）における共振部分は、Ｌ成分が多く、インピーダンスも５０Ωに合っていない。このように、逆Ｆアンテナ８０では、２つの共振周波数帯域のインピーダンス整合を行うことが難しかった。
【００７５】
図１１に、マルチバンドアンテナ３０のスミスチャートを示す。マルチバンドアンテナ３０は、２つのインピーダンス整合用ループ経路Ｒ１２，Ｒ２２を有する。マルチバンドアンテナ３０のインピーダンス整合においては、図５に示すように、先ず、距離Ｌ１を変更（ショートスタブ５１２に対するショートスタブ５１４，５１５の位置を変更）して、高い周波数（第２の共振周波数帯域）についてインピーダンス整合が行われる。
【００７６】
そして、距離Ｌ２を変更（アンテナエレメント５１１に対するアンテナエレメント５１３の位置を変更）して、低い周波数（第１の共振周波数帯域）についてインピーダンス整合が行われる。このように、高い周波数のインピーダンス整合の実行後、低い周波数のインピーダンス整合を実行する必要がある。
【００７７】
すると、図１１に示すように、マルチバンドアンテナ３０において、高い周波数（第２の共振周波数帯域）における共振部分のインピーダンスを、ほぼ５０Ωに整合させることができるとともに、低い周波数（第１の共振周波数帯域）における共振部分のインピーダンスを、ほぼ５０Ωに整合させることができる。
【００７８】
次いで、図１２及び図１３を参照して、マルチバンドアンテナ３０の共振点の広帯域化について説明する。図１２に、アンテナエレメント５１１，５１３の辺の長さを示す。図１３に、マルチバンドアンテナ３０についての周波数とＳパラメータとの関係を示す。
【００７９】
図１２に示すように、マルチバンドアンテナ３０において、アンテナエレメント５１１，５１３は、それぞれ、ショートスタブ５１２から距離が離れるにつれて幅が大きくなる形状を有している。アンテナエレメント５１１の上辺の長さをＬ３１とし、アンテナエレメント５１１の下辺の長さをＬ３２とする。ここで、長さＬ３１＞長さＬ３２である。また、アンテナエレメント５１３の上辺の長さをＬ４１とし、アンテナエレメント５１３の下辺の長さをＬ４２とする。長さＬ４２＞長さＬ４１である。
【００８０】
図７に示したように、第１の共振周波数帯域の共振時に、アンテナエレメント５１１をアンテナ電流が流れる。このとき、アンテナ電流は、表皮効果により、アンテナエレメント５１１の上辺（長さＬ３１）及び下辺（長さＬ３２）に流れる。このため、図１３に示すように、第１の共振周波数帯域の共振における周波数に対するＳパラメータの関係において、長さＬ３１に対応する共振部分と、長さＬ３２に対応する共振部分と、が表れる。このため、第１の共振周波数帯域において、２つの共振部分により、共振周波数帯域を広くすることができる。
【００８１】
同様に、第２の共振周波数帯域の共振時に、アンテナエレメント５１３をアンテナ電流が流れる。このとき、アンテナ電流は、アンテナエレメント５１１の上辺（長さＬ４１）及び下辺（長さＬ４２）に流れる。このため、長さＬ４２に対応する共振部分と、長さＬ４１に対応する共振部分と、が表れる。このため、第２の共振周波数帯域においても、２つの共振部分により、共振周波数帯域を広くすることができる。
【００８２】
以上、本実施の形態によれば、マルチバンドアンテナ３０は、誘電体部４０と、絶縁体のフィルム５０Ａ上にアンテナ導体部５０Ｂが形成されているとともに、誘電体部４０の周囲に配置されているフィルムアンテナ部５０と、フィルムアンテナ部５０と誘電体部４０とを、一定の距離をおいて固着させる両面テープ６０と、を備える。このため、両面テープ６０の厚さを変更することで、誘電体部４０の実効比誘電率を変更でき、マルチバンドアンテナ３０における共振周波数の調整を容易に行うことができる。
【００８３】
また、フィルムアンテナ部５０は、グランド部５２と、アンテナエレメント５１１，５１３と、ショートスタブ５１２，５１４，５１５と、を有するマルチバンドの逆Ｆアンテナであり、第２の共振周波数帯域（高い共振周波数帯域）に対応するインピーダンス整合用ループ経路Ｒ２２と、第１の共振周波数帯域（低い共振周波数帯域）に対応するインピーダンス整合用ループ経路Ｒ１２と、を有する。このため、２つのインピーダンス整合用ループ経路Ｒ１２，Ｒ２２の長さを、長さＬ１，Ｌ２で調整することにより、第２の共振周波数帯域における共振部分のインピーダンスを、ほぼ５０Ωに整合させることができるとともに、第１の共振周波数帯域における共振部分のインピーダンスを、ほぼ５０Ωに整合させることができる。
【００８４】
また、第１の共振周波数帯域に対応するアンテナエレメント５１１が、ショートスタブ５１２に接続された部分から先端までの間に長さＬ３１，Ｌ３２の異なる２つの辺を有し、第２の共振周波数帯域に対応するアンテナエレメント５１３が、ショートスタブ５１２に接続された部分から先端までの間に長さＬ４１，Ｌ４２の異なる２つの辺を有する。このため、第１の共振周波数帯域と、第２の共振周波数帯域とを、広帯域化することができる。
【００８５】
また、誘電体部４０は、略直方体の形状を有する。このため、誘電体部４０を容易に形成することができる。
【００８６】
また、誘電体部４０は、取り付け場所に対応する略直方体の形状を有する。このため、マルチバンドアンテナ３０及びハンディターミナル１を小型化できる。
【００８７】
また、誘電体部４０は、フィルムアンテナ部５０の変形に対応するＲ形状の縁部４２を有する。このため、フィルムアンテナ部５０を誘電体部４０に隙間無く貼り付けることができる。
【００８８】
また、ハンディターミナル１は、マルチバンドアンテナ３０と、マルチバンドアンテナ３０を介して通信する無線通信部１６と、無線通信部１６を制御するＣＰＵ１１と、を備える。このため、マルチバンドアンテナ３０により共振周波数の調整を行って、所望の共振周波数の無線通信を行うことができる。
【００８９】
また、フィルムアンテナ部５０のグランド部５２は、長手方向が、低い共振周波数帯域の中心周波数のλ／４以上であり、幅が、高い共振周波数帯域の中心周波数のλ／４以上であるフレームグランドに接続される。このため、グランド部５２の面積を比較的小さくすることができるとともに、グランド部５２がマルチバンドアンテナのグランドとして確実に機能することができる。
【００９０】
（第１の変形例）
図１４を参照して、上記第１の実施の形態の第１の変形例を説明する。図１４に、フィルムアンテナ部５０ａの平面構成を示す。
【００９１】
本変形例の装置構成は、上記実施の形態におけるマルチバンドアンテナ３０のフィルムアンテナ部５０を、フィルムアンテナ部５０ａに代えた構成である。このため、フィルムアンテナ部５０ａを主として説明する。
【００９２】
図１４に示すフィルムアンテナ部５０ａは、フィルム５０Ａａと、アンテナ導体部５０Ｂａと、を有する。アンテナ導体部５０Ｂａは、アンテナエレメント部５１と、グランド部５２ａと、を有する。
【００９３】
上記第１の実施の形態のフィルムアンテナ部５０では、グランド部５２が、ケース２内のフレームグランドに接続されている構成であった。これに対し、本変形例でのフィルムアンテナ部５０ａでは、グランド部５２ａが、ケース２内のフレームグランドに接続されることなく、必要なグランド面積を有している。また、フィルム５０Ａａはアンテナエレメント部５１及びグランド部５２ａに対応する形状及び大きさを有する。誘電体部４０は、少なくともアンテナエレメント部５１が貼り合わされる形状及び大きさを有するものとする。
【００９４】
グランド部５２ａは、長手方向が８００ＭＨｚ帯域の中心周波数８９２ＭＨｚのλ／４＝８．４ｃｍ以上であり、幅（短手方向）が１８００ＭＨｚ帯域の中心周波数１８５０ＭＨｚのλ／４＝４ｃｍ以上であるものとする。このため、グランド部５２ａにより、マルチバンドアンテナのグランドに必要な面積が確保されている。
【００９５】
以上、本変形例によれば、フィルムアンテナ部５０ａのグランド部５２ａは、その長手方向が、低い共振周波数帯域の中心周波数のλ／４以上であり、その幅が、高い共振周波数帯域の中心周波数のλ／４以上である。このため、フレームグランドに接続することなく、グランド部５２ａがマルチバンドアンテナのグランドとして確実に機能することができる。
【００９６】
（第２の変形例）
図１５及び図１６を参照して、上記第１の実施の形態の第２の変形例を説明する。図１５に、誘電体部４０ｂの斜視構成を示す。図１６に、誘電体部４０ｂの側面構成を示す。
【００９７】
本変形例の装置構成は、上記第１の実施の形態における誘電体部４０を有するマルチバンドアンテナ３０を、誘電体部４０ｂを有するマルチバンドアンテナ３０ｂに代えた構成である。このため、誘電体部４０ｂの構成を主として説明する。
【００９８】
図１５に示すように、誘電体部４０ｂは、ブロック本体部４１ｂを有する。ブロック本体部４１ｂには、縁部４２ｂと、第１の空間部としての穴部４３と、が形成されている。図１６に示すように、マルチバンドアンテナ３０ｂは、誘電体部４０ｂと、フィルムアンテナ部５０と、フィルムアンテナ部５０を誘電体部４０ｂに貼り付ける両面テープ６０と、を備える。
【００９９】
穴部４３は、複数設けられている。各穴部４３は、ブロック本体部４１ｂの平面又は側面を垂直に貫通している。誘電体部４０ｂは、ブロック本体部４１ｂにおける穴部４３の空間の体積を変更することにより、誘電体部４０ｂの実効比誘電率をコントロールできる。つまり、ブロック本体部４１ｂの体積に対する誘電体量を変更して誘電体部４０ｂの実効比誘電率をコントロールできる。なお、誘電体部のブロック本体部における空間部を設ける構成としては、穴部４３を設ける構成に限定されるものではなく、穴部４３が一つである構成としてもよく、貫通していない穴部等、他の空間部を設ける構成としてもよい。
【０１００】
以上、本変形例によれば、誘電体部４０ｂは、複数の穴部４３を有する。このため、両面テープ６０の厚さの調整に加えて、誘電体部４０ｂの誘電体樹脂の体積に対する穴部４３の体積に応じて、誘電体部４０ｂの実効比誘電率を容易に調整できる。なお、両面テープ６０の厚さを固定して、穴部４３による誘電体部４０ｂの誘電体樹脂の体積に対する穴部４３の体積を変更することで、誘電体部４０ｂの実効比誘電率を調整することとしてもよい。
【０１０１】
（第２の実施の形態）
図１７〜図２４を参照して、本発明に係る第２の実施の形態を説明する。本実施の形態において、上記第１の実施の形態の装置構成と同じ部分には同じ符号を付してその説明を省略する。
【０１０２】
先ず、図１７〜図２０を参照して、本実施の形態の装置構成を説明する。
図１７（ａ）は、本実施の形態のハンディターミナル１Ｄの正面構成を示す。
図１７（ｂ）は、ハンディターミナル１Ｄの側面構成を示す。
図１７（ｃ）は、ハンディターミナル１Ｄの背面構成を示す。
図１８に、マルチバンドアンテナ３０Ｄの斜視構成を示す。
図１９に、マルチバンドアンテナ３０Ｄの平面構成を示す。
図２０に、マルチバンドアンテナ３０Ｄの端部の断面構成を示す。
【０１０３】
本実施の形態のハンディターミナル１Ｄは、上記第１の実施の形態のハンディターミナル１のマルチバンドアンテナ３０を、マルチバンドアンテナ３０Ｄに代えたものである。ハンディターミナル１Ｄは、ハンディターミナル１と同様に、情報の入力及び記憶機能、スキャナ機能、無線ＬＡＮ通信機能、携帯電話通信機能を有する。但し、この携帯電話通信機能は、ＧＳＭ方式及びＷＣＤＭＡ（Wideband Code Division Multiple Access）方式による通信機能とする。また、マルチバンドアンテナ３０Ｄは、上記第１の変形例のマルチバンドアンテナをさらに改良したものである。
【０１０４】
図１７（ａ）〜図１７（ｃ）に示すように、ハンディターミナル１Ｄは、ハンディターミナル１と同様に、ケース２、各種キー３Ａ、トリガキー３Ｂ、表示部１４、スキャナ部１９等を備える。また、ハンディターミナル１Ｄは、ケース２の内部に、マルチバンドアンテナ３０Ｄを備える。また、ハンディターミナル１Ｄは、図２に示すハンディターミナル１において、マルチバンドアンテナ３０をマルチバンドアンテナ３０Ｄに代えた機能構成を有する。また、無線通信部１６は、ＧＳＭ方式及びＷＣＤＭＡ方式の携帯電話通信を行う無線通信部とする。
【０１０５】
次いで、図１８〜図２０を参照して、マルチバンドアンテナ３０Ｄの構成を説明する。
図１８に示すように、マルチバンドアンテナ３０Ｄは、誘電体部４０と、フィルムアンテナ部５０Ｄと、両面テープ６０と、を備える。フィルムアンテナ部５０Ｄは、アンテナエレメント部５１と、グランドエレメント５２Ｄと、を有する。つまり、フィルムアンテナ部５０Ｄは、フィルムアンテナ部５０のグランド部５２をグランドエレメント５２Ｄに代えた構成を有する。フィルムアンテナ部５０Ｄのアンテナエレメント部５１には、両面テープ６０を介して誘電体部４０が貼り付けられている。
【０１０６】
図１９に示すように、マルチバンドアンテナ３０Ｄのフィルムアンテナ部５０Ｄは、絶縁層（絶縁体）としてのフィルム５０Ａｄ、導体のアンテナ導体部５０Ｂｄ、絶縁層（絶縁体）としてのフィルム５０Ｃｄを有する。フィルム５０Ａｄ、アンテナ導体部５０Ｂｄ、フィルム５０Ｃｄは、この順に、三層に積層されている。同軸ケーブル７０の取り付け側のフィルムを、フィルム５０Ａｄとする。フィルム５０Ａｄは、同軸ケーブル７０（芯線７１、外部導体７３）とアンテナ導体部５０Ｂｄとの半田付けによる接続部分に穴部が設けられている。図６と同様に、芯線７１は、上記穴部を介してアンテナエレメント部５１のアンテナ導体部５０Ｂｄに電気的に接続されている。外部導体７３は、上記穴部を介してグランドエレメント５２Ｄのアンテナ導体部５０Ｂｄに電気的に接続されている。
【０１０７】
また、図２０に示すように、フィルムアンテナ部５０Ｄの端部は、アンテナ導体部５０Ｂｄよりもフィルム５０Ａｄ，５０Ｃｄの平面が大きくなっている。つまり、フィルムアンテナ部５０Ｄの端部では、フィルム５０Ａｄ，５０Ｃｄが貼り合わされている。このため、アンテナ導体部５０Ｂｄは、端部でフィルム５０Ａｄ，５０Ｃｄに完全に覆われている。よって、アンテナ導体部５０Ｂｄは、上記同軸ケーブル７０との接続用の穴部を除き、フィルム５０Ａｄ、フィルム５０Ｃｄにより外部から完全に絶縁されている。このように、フィルムアンテナ部５０Ｄ（グランドエレメント５２Ｄ）は、ケース２のフレームグランドや、基板のグランドに電気的に接続されない。
【０１０８】
また、図１９に示すように、グランドエレメント５２Ｄは、第２の空間部としての穴部５２１，５２２と、切り欠き部５２３，５２４とを有する。穴部５２１は、ハンディターミナル１Ｄのケース２内へのマルチバンドアンテナ３０Ｄの取り付けの際に、ボタン電池、ケース２の柱等の内部部品を避ける位置に配置された穴部である。穴部５２２、切り欠き部５２３，５２４は、穴部５２１と同様に、内部部品を避ける位置に配置された穴部又は切り欠き部である。
【０１０９】
図１９において、グランドエレメント５２Ｄに、端点Ｄ１，Ｄ２，Ｄ３をとる。
端点Ｄ１は、アンテナエレメント部５１とグランドエレメント５２Ｄとの接続部分の端点である。端点Ｄ２は、グランドエレメント５２Ｄの長手方向におけるアンテナエレメント部５１と逆側の端点である。端点Ｄ３は、グランドエレメント５２Ｄの角形の一つの端点である。端点Ｄ１と端点Ｄ２との間の辺をＳ１ｄとする。辺Ｓ１ｄの長さを、距離Ｌ１ｄとする。端点Ｄ１と端点Ｄ３との間の辺をＳ２ｄとする。辺Ｓ２ｄの長さを、距離Ｌ２ｄとする。端点Ｄ１と切り欠き部５２３との間の辺をＳ３ｄとする。辺Ｓ３ｄの長さを、長さＬ３ｄとする。長さＬ１ｄ，Ｌ２ｄ，Ｌ３ｄは、マルチバンドアンテナ３０Ｄの共振周波数に対応するものであり、詳細に後述される。
【０１１０】
次に、図２１〜図２４を参照して、ハンディターミナル１Ｄのハンディターミナル１Ｄの動作を説明する。ハンディターミナル１Ｄのマルチバンドアンテナ３０Ｄ以外の動作は、ハンディターミナル１の動作と同様である。
【０１１１】
先ず、図２１〜図２３を参照して、マルチバンドアンテナ３０にグランドエレメント５２Ｄが必要な理由を説明する。図２１に、ダイポールアンテナ９０Ａとその電圧の分布とを示す。図２２に、モノポールアンテナ９０Ｂ及び金属部９３とその電圧の分布とを示す。図２３に、モノポールアンテナ９０Ｂ及び金属部９３とその実際の電圧の分布とを示す。
【０１１２】
図２１に示すように、一般的なダイポールアンテナ９０Ａは、放射エレメント９１と、グランドエレメント９２と、を備える。放射エレメント９１、グランドエレメント９２は、それぞれ、λ／４の長さを有する。λは、通信で使用する電波の波長である。ダイポールアンテナ９０Ａにおいて、共振する際、給電点Ｐを挟んで、放射エレメント９１、グランドエレメント９２で電圧が発生してバランスがとれ、波長λの電波が送受信される。
【０１１３】
図２２に示すように、一般的なモノポールアンテナ９０Ｂは、放射エレメント９１を備える。モノポールアンテナ９０Ｂは、グランドエレメント９２が無いため、モノポールアンテナ９０Ｂを取り付ける筐体の金属部９３をグランドとして使用する。これにより、モノポールアンテナ９０Ｂにおいて、共振する際、給電点Ｐを挟んで、放射エレメント９１、金属部９３で電圧が発生してバランスがとれ、波長λの電波が送受信される。
【０１１４】
実際には、金属部９３に流れる電流は、エッジに集中する。このため、図２３に示すように、金属部９３において、放射エレメント９１の電圧に対応する電流の経路の近傍にエッジが存在すると、そのエッジに電流が流れて電圧も発生する。
【０１１５】
このため、モノポールアンテナ９０Ｂにおいて、グランド部分である金属部９３に、使用する周波数のλ／４に相当する長さのエッジを意図的に構成することで、その周波数に共振したときにグランド側の電流が流れ易くなりアンテナの利得を高くする事ができる。この原理は、モノポールアンテナに限ったことではなく、グランドを持たずに筐体の金属を期待しているアンテナ型式全てに共通している原理である。
【０１１６】
従って、上記原理は、筐体のグランドを期待している逆Ｆアンテナでも同様である。更に、複数共振をするマルチバンドアンテナの場合は、複数の共振周波数に対応する長さのエッジをグランド側に設けることにより、それぞれの周波数で同様の効果を得る事ができる。
【０１１７】
本実施の形態のマルチバンドアンテナ３０Ｄには、誘電体部４０で小形化したマルチバンド逆Ｆアンテナであるアンテナエレメント部５１（及び誘電体部４０、両面テープ６０）に、複数の長さの辺を有するグランドエレメント５２Ｄを設けている。マルチバンドアンテナ３０Ｄにおいて、それぞれの長さの辺の周波数で、グランドエレメント５２Ｄを共振させることにより、アンテナの利得を高くしている。
【０１１８】
また、マルチバンドアンテナ３０Ｄは、ＧＳＭ方式及びＷＣＤＭＡ方式の携帯電話通信用のアンテナである。ＧＳＭ方式の周波数帯域は、８２４［ＭＨｚ］〜９６０［ＭＨｚ］、１７１０［ＭＨｚ］〜１９９０［ＭＨｚ］である。ＷＣＤＭＡ方式の周波数帯域の上限は、〜２１７０［ＭＨｚ］である。
【０１１９】
ＧＳＭ方式及びＷＣＤＭＡ方式の周波数帯域で共振させるように、図１９に示すマルチバンドアンテナ３０Ｄのグランドエレメント５２Ｄの辺Ｓ１ｄ，Ｓ２ｄ，Ｓ３ｄの長さＬ１ｄ，Ｌ２ｄ，Ｌ３ｄを決定した。また、Ｌ１ｄ＞Ｌ２ｄ＞Ｌ３ｄとした。
グランドエレメント５２Ｄの辺Ｓ１ｄの長さＬ１ｄを８９２［ＭＨｚ］の電波のλ／４に対応する８．４［ｃｍ］とした。
グランドエレメント５２Ｄの辺Ｓ２ｄの長さＬ２ｄを１８５０［ＭＨｚ］の電波のλ／４に対応する４．０５［ｃｍ］とした。
グランドエレメント５２Ｄの辺Ｓ３ｄの長さＬ３ｄを２１７０［ＭＨｚ］のλ／４に対応する３．４［ｃｍ］とした。
【０１２０】
図２４に、マルチバンドアンテナ３０Ｄの周波数に対するＶＳＷＲ（Voltage Standing Wave Ratio：電圧定在波比）を示す。
図２４に示すように、マルチバンドアンテナ３０Ｄの周波数に対するＶＳＷＲのシミュレーションを行った。辺Ｓ１ｄ，Ｓ２ｄに対応する８９２［ＭＨｚ］、１８５０［ＭＨｚ］の共振周波数は、使用する帯域幅の中心に位置しており、アンテナの利得を大きくすることができている。辺Ｓ３ｄに対応する２１７０［ＭＨｚ］の共振周波数は、使用する帯域幅の外側ギリギリに位置しており、アンテナの共振幅を広くすることができている。
【０１２１】
以上、本実施の形態によれば、上記第１の実施の形態のハンディターミナル１及びマルチバンドアンテナ３０と同様の効果を奏する。さらに、上記第１の変形例のマルチバンドアンテナと同様に、マルチバンドアンテナ３０Ｄは、アンテナエレメント部５１の共振周波数帯域に対応する周波数で共振する長さの辺Ｓ１ｄ，Ｓ２ｄ，Ｓ３ｄを有するグランドエレメント５２Ｄを有する。このため、フレームグランドやＰＣＢ（電気回路）のグランドを使用しない構造にでき、筐体構造に影響せず安定した共振を得ることができ、高いアンテナ利得を得ることができる。
【０１２２】
特に、ハンディターミナル１Ｄの途中の設計変更等により、フレーム形状が変わった場合にも、アンテナ性能（アンテナ利得や指向性）の影響の発生を防ぐことができる。
【０１２３】
さらに、フレームグランドやＰＣＢ（電気回路）のグランドを使用せず、グランドエレメント５２Ｄとアンテナエレメント部５１との間で共振する。このため、ハンディターミナル１の筐体に流れる電流を減らすことができ、頭などの人体に与える電磁界の影響を低減できる。加えて、ハンディターミナル１Ｄのフレームを手で持つ等の人体の影響でのグランド面積の変化によるアンテナ特性の変化を少なくできる。
【０１２４】
また、マルチバンドアンテナ３０Ｄは、グランドエレメント５２Ｄに、３つの周波数に共振する長さの辺Ｓ１ｄ，Ｓ２ｄ，Ｓ３ｄを有する。このため、３つの周波数に共振するマルチバンドアンテナとしての安定した利得を確保できる。
特に、グランドエレメント５２Ｄが、アンテナエレメント部５１の２つの共振周波数帯域に対応する辺Ｓ１ｄ，Ｓ２ｄで共振するので、アンテナ利得を高めることができる。
即ち、グランドエレメント５２Ｄの辺Ｓ１ｄの長さＬ１ｄをアンテナエレメント部５１の第１の共振周波数帯域に対応する８９２［ＭＨｚ］の電波のλ／４に対応する８．４［ｃｍ］とし、グランドエレメント５２Ｄの辺Ｓ２ｄの長さＬ２ｄをアンテナエレメント部５１の第２の共振周波数帯域に対応する１８５０［ＭＨｚ］の電波のλ／４に対応する４．０５［ｃｍ］としたので、アンテナエレメント部５１と同様に、グランドエレメント５２Ｄが共振するので、アンテナ利得を高めることができる。
さらに、グランドエレメント５２Ｄの辺Ｓ３ｄの長さＬ３ｄをアンテナエレメント部５１の第２の共振周波数帯域に近い２１７０［ＭＨｚ］のλ／４に対応する３．４［ｃｍ］としたので、グランドエレメント５２Ｄの辺Ｓ３ｄがグランドエレメント５２Ｄの辺Ｓ２ｄの共振周波数１８５０［ＭＨｚ］に近い共振周波数２１７０［ＭＨｚ］で共振するので、マルチバンドアンテナ３０Ｄの共振周波数の帯域幅を広くすることができる。
【０１２５】
また、マルチバンドアンテナ３０Ｄは、グランドエレメント５２Ｄに、内部部品を避ける位置に配置された穴部５２１，５２２、切り欠き部５２３，５２４を有する。このため、マルチバンドアンテナ３０Ｄ専用の場所をハンディターミナル１内に設けることなく、筐体の隙間にマルチバンドアンテナ３０Ｄを実装することができ、ハンディターミナル１Ｄを小形化できる。
【０１２６】
また、マルチバンドアンテナ３０Ｄのグランドエレメント５２Ｄ（フィルムアンテナ部５０Ｄ）は、アンテナ導体部５０Ｂｄの裏表に絶縁層であるフィルム５０Ａｄ，５０Ｃｄを設けて形成されている。このため、グランドエレメント５２Ｄのアンテナ導体部５０Ｂｄを外部から絶縁でき、ＰＣＢ（電気回路）やフレームグランドとのショートを避けることができ、小型の機器（ハンディターミナル１Ｄ）へのマルチバンドアンテナ３０Ｄの実装が可能になる。
【０１２７】
また、マルチバンドアンテナ３０Ｄは、アンテナエレメント部５１とグランドエレメント５２Ｄとが１枚のＦＰＣで構成されている。このため、アンテナエレメント部５１と、グランドエレメント５２Ｄとの接触不良によるアンテナ性能劣化を防ぐことができる。
【０１２８】
なお、上記各実施の形態及び各変形例における記述は、本発明に係るマルチバンドアンテナ及び電子機器の一例であり、これに限定されるものではない。
【０１２９】
例えば、各実施の形態及び各変形例のうち、少なくとも２つを適宜組み合わせる構成としてもよい。また、上記各実施の形態及び各変形例では、電子機器としてハンディターミナルを用いる構成としたが、ＰＤＡ、携帯電話機等、他の電子機器としてもよい。
【０１３０】
また、上記第１の実施の形態及び各変形例では、マルチバンドアンテナ３０のフィルムアンテナ部５０において、誘電体部４０側から、フィルム５０Ａ、アンテナ導体部５０Ｂが順に２層に形成されている構成（フィルム５０Ａ側を誘電体部４０に両面テープ６０で貼り付けする構成）としたが、これに限定されるものではない。例えば、マルチバンドアンテナのフィルムアンテナ部において、誘電体部側から、アンテナ導体部、フィルム、が順に２層に形成されている構成（アンテナ導体部側を誘電体部に両面テープで貼り付けする構成）としてもよい。また、フィルムアンテナ部において、フィルムと、当該フィルムの上に形成されたアンテナ導体部と、の上に、フィルム等の絶縁層を形成し、３層にする構成等としてもよい。
【０１３１】
また、上記各実施の形態及び各変形例では、離間部として両面テープ６０を用いる構成としたが、これに限定されるものではない。離間部として、両面接着フィルム等、他の離間部を用いる構成としてもよい。
【０１３２】
また、上記第２の実施の形態では、グランドエレメント５２Ｄが、３つの周波数に共振する辺Ｓ１ｄ，Ｓ２ｄ，Ｓ３ｄを有する構成としたが、これに限定されるものではない。例えば、アンテナエレメントが、２又は４以上の複数の周波数に共振する複数の辺を有する構成としてもよい。
【０１３３】
また、上記各実施の形態及び各変形例では、マルチバンドアンテナの通信方式を、ＧＳＭ方式、ＷＣＤＭＡ方式としたが、これに限定されるものではなく、他の通信方式としてもよい。
【０１３４】
また、上記各実施の形態及び各変形例におけるマルチバンドアンテナと、電子機器としてのハンディターミナルとの各構成要素の細部構成及び細部動作に関しては、本発明の趣旨を逸脱することのない範囲で適宜変更可能であることは勿論である。
【符号の説明】
【０１３５】
１，１Ｄ  ハンディターミナル
２  ケース
３Ａ  各種キー
３Ｂ  トリガキー
１１  ＣＰＵ
１２  入力部
１３  ＲＡＭ
１４  表示部
１５  ＲＯＭ
１６  無線通信部
１７  フラッシュメモリ
１８ａ  アンテナ
１８  無線ＬＡＮ通信部
１９  スキャナ部
２０  Ｉ／Ｆ
２１  バス
３０，３０ｂ，３０Ｄ  マルチバンドアンテナ
４０，４０ｂ  誘電体部
４１，４１ｂ  ブロック本体部
４２，４２ｂ  縁部
４３  穴部
５０，５０ａ，５０Ｄ  フィルムアンテナ部
５０Ａ，５０Ａａ，５０Ａｄ，５０Ｃｄ  フィルム
５０Ｂ，５０Ｂａ，５０Ｂｄ  アンテナ導体部
５１  アンテナエレメント部
５１１，５１３  アンテナエレメント
５１２，５１４，５１５  ショートスタブ
５２，５２ａ  グランド部
５２Ｄ  グランドエレメント
５２１，５２２  穴部
５２３，５２４  切り欠き部
Ｓ１ｄ，Ｓ２ｄ，Ｓ３ｄ  辺
Ｐ  給電点
６０  両面テープ
７０  同軸ケーブル
７１  芯線
７２  絶縁体
７３  外部導体
７４  保護被覆部
８０  逆Ｆアンテナ
９０Ａ  ダイポールアンテナ
９０Ｂ  モノポールアンテナ
９１  放射エレメント
９２  グランドエレメント
９３  金属部
【図１】
0005458981.tif 000002
【図２】
0005458981.tif 000003
【図３】
0005458981.tif 000004
【図４】
0005458981.tif 000005
【図５】
0005458981.tif 000006
【図６】
0005458981.tif 000007
【図７】
0005458981.tif 000008
【図８】
0005458981.tif 000009
【図９】
0005458981.tif 000010
【図１０】
0005458981.tif 000011
【図１１】
0005458981.tif 000012
【図１２】
0005458981.tif 000013
【図１３】
0005458981.tif 000014
【図１４】
0005458981.tif 000015
【図１５】
0005458981.tif 000016
【図１６】
0005458981.tif 000017
【図１７】
0005458981.tif 000018
【図１８】
0005458981.tif 000019
【図１９】
0005458981.tif 000020
【図２０】
0005458981.tif 000021
【図２１】
0005458981.tif 000022
【図２２】
0005458981.tif 000023
【図２３】
0005458981.tif 000024
【図２４】
0005458981.tif 000025